(57)【要約】      （修正有）【課題】中または低周波の微小電流により女性の胸を刺激するマッサージブラジャーの設計を提供する。【解決手段】複数個の導電材１がブラジャー１０の選定個所に予め設置され、導電材の一端は正極導電片２ａまたは負極導電片２ｂと連接され、導電材の他の一端は導電ボタン１１に接続され、各導電ボタンはブラジャーの選定個所に接続され、導電ボタンはコントローラ３と組み合わされる。正極導電片と負極導電片とが体に貼り付き接触されることを用いて、コントローラ３が通電されると中または低周波の微小電流により女性の胸に対して刺激マッサージを与える。【選択図】図４
0003131700.tif 000002
【実用新案登録請求の範囲】
【請求項１】
微小電流で刺激するマッサージブラジャーにおいて、複数個の導電材（１）がブラジャー（１０）の選定個所に予め設置され、前記各導電材（１）の一端は正極導電片（２ａ）または負極導電片（２ｂ）と連接され、前記導電材（１）の他の一端は導電ボタン（１１）に接続され、前記各導電ボタン（１１）は集中されて前記ブラジャー（１０）の選定個所に接続され、集中排列される前記導電ボタン（１１）はコントローラ（３）と対応し組み合わされ、結合が形成され、前記正極導電片（２ａ）と前記負極導電片（２ｂ）とが体に貼り付き接触されることを用いて、前記コントローラ（３）が通電されると女性の胸に対して刺激マッサージを生じる中または低周波の微小電流を提供することを特徴とする微小電流で刺激するマッサージブラジャー。
【請求項２】
前記導電材（１）、前記正極導電片（２ａ）及び前記負極導電片（２ｂ）は、ミシン縫い付け方式を用いてブラジャー内面の乳房に接近する位置に固定されることを特徴とする請求項１に記載の微小電流で刺激するマッサージブラジャー。
【請求項３】
前記導電材（１）の導電ボタン（１１）は、前記コントローラ（３）と組み合わされて掛け付けられることを特徴とする請求項１に記載の微小電流で刺激するマッサージブラジャー。
【請求項４】
前記導電材（１）の導電ボタン（１１）は、連接導線（３１）を用いて嵌め付けられ、前記コントローラ（３）に接続され、有線接続の組み合せが形成されることを特徴とする請求項１に記載の微小電流で刺激するマッサージブラジャー。
【請求項５】
前記コントローラ（３）は装飾品のネックレースとして身につけられることを特徴とする請求項４に記載の微小電流で刺激するマッサージブラジャー。
【請求項６】
前記正極導電片（２ａ）と前記負極導電片（２ｂ）とは、直接胸当てパッド（４ａ）と結合されることを特徴とする請求項１に記載の微小電流で刺激するマッサージブラジャー。
【請求項７】
前記ブラジャー（１０）の正極導電片（２ａ）または負極導電片（２ｂ）と胸カップの外層との間には、前記胸当てパッド（４ａ）を挿入するためのポケット（１０１）が設けられることを特徴とする請求項１に記載の微小電流で刺激するマッサージブラジャー。
【請求項８】
前記正極導電片（２ａ）と前記負極導電片（２ｂ）とは、複数個の通気孔（２１）を備えることを特徴とする請求項１に記載の微小電流で刺激するマッサージブラジャー。
【請求項９】
前記正極導電片（２ａ）と前記負極導電片（２ｂ）とは、二つもしくは二つ以上の正極性または負極性に区分けられ、複数個の導電材と合わせて接続され組み合わせられることを特徴とする請求項１に記載の微小電流で刺激するマッサージブラジャー。
【請求項１０】
前記導電材は一般の導電材料、導電線材または導電布であることを特徴とする請求項１に記載の微小電流で刺激するマッサージブラジャー。
【請求項１１】
前記導電材（１）を用いて複数枚の単極性導電片（２ｅ）が連接されることを特徴とする請求項１に記載の微小電流で刺激するマッサージブラジャー。
【考案の詳細な説明】
【技術分野】
【０００１】
本考案は、微小電流で刺激するマッサージブラジャーに係るものであり、特に中または低周波の微小電流を用いて胸に対して刺激を生じるマッサージブラジャーを指し、そのブラジャー内には導電材を用いて連接される導電片が設けられ、かつ導電片は胸パッドと結合され、並びに通気性を備えたものである。
【背景技術】
【０００２】
従来の中または低周波健康補助器（マッサージ器、治療器とも言う）は、コントローラ、シリカゲル電極プレート、シリカゲル軟膏（普通導電ゲルと言う）、またはシリカゲル電極カップなどのパーツから構成されたものであり、それはコストが高く、使用するタイミングや場所はすべて特定に制限され、導電の効果もよくない。更に、使用個所にシリカゲル軟膏を塗る必要があるので、使用する場合極めて不快な感じになり、洗うときも非常に洗いにくい。その他、シリカゲル電極プレートまたはシリカゲルカップはすべて硬くて厚いものであるため、それをつけた場合、大変重くて不快な感じを生じ、かつ体に密着して隠すことができず、使用空間を占めてしまい、常時使用することができない等の欠点がある。
【考案の開示】
【考案が解決しようとする課題】
【０００３】
本考案の主要な目的は、ブラジャーに予め導電材を設置し、導電材の両端には正極または負極の導電片及び導電ボタンを設け、導電片は胸に接触し、導電ボタンは集中されてブラジャーの選定個所に接続されてコントローラと結合され、コントローラが通電されると導電片が人体に接触していることを用いて、女性の胸に対して刺激マッサージを生じる中または低周波の微小電流を提供する微小電流で刺激するマッサージブラジャーの設計を提供するものである。
本考案の次の目的は、前記導電片には多数の通気孔が設けられ、よりよい通気性を備えた微小電流で刺激するマッサージブラジャーの設計を提供するものである。
本考案のもう一つの目的は、前記コントローラには接続導線を用いて有線の連接組み合せが形成され、かつコントローラを装飾品のネックレースとして身につけることができる微小電流で刺激するマッサージブラジャーの設計を提供するものである。
本考案の又一つの目的は、前記ブラジャーの内面には胸当てパッドを挿入するためのポケットが備えられ、胸当てパッドにより導電片が押されて人の胸と完全に接触することを用いて、胸のやや小さい使用者に適用される微小電流で刺激するマッサージブラジャーの設計を提供するものである。
本考案の更に一つの目的は、前記導電片は胸当てパッドと一つに結合される微小電流で刺激するマッサージブラジャーの設計を提供するものである。
【課題を解決するための手段】
【０００４】
本考案は微小電流で刺激するマッサージブラジャーの設計であり、それは導電材の一端を正極または負極の導電片に連接させ、他の一端を導電ボタンに接続させてコントローラと結合させるので、微小電流を提供して女性の胸に対して刺激マッサージを生じることができ、前記導電片は胸パッドと一つに結合することができ、かつ通気孔が設けられてよりよい通気性を提供することができる。
【考案を実施するための最良の形態】
【０００５】
図１から図３に示すように、本考案が行う「微小電流で刺激するマッサージブラジャー」の設計の主要は、複数個の導電材１をブラジャー１０の選定個所に予め設置し、各導電材１の一端は正極導電片２ａまたは負極導電片２ｂに連接され、導電材１の他の一端は導電ボタン１１に接続され、各導電ボタン１１は集中されてブラジャー１０の選定個所と接続され（図面に示すブラジャー１０の中央個所、またはその他任意の個所でもよい）、かつ集中排列される前記導電ボタン１１はコントローラ３と対応し、組み合わされ、結合を形成し（図３を参照）、コントローラ３が通電されると正極導電片２ａと負極導電片２ｂとが体に貼り付いて接触していることを用いて、中または低周波の微小電流を提供して女性の胸に対して刺激マッサージを生じることができる。
【０００６】
前記導電材１、正極導電片２ａ及び負極導電片２ｂは、ともにミシン縫い付け方式を採用して、導電材１、正極導電片２ａ及び負極導電片２ｂをブラジャー１０の内面の乳房に接近する位置に取り付け、図１に示すのは正極導電片２ａまたは負極導電片２ｂを乳房に接近する両側位置に結合したものであり、図２に示すのは乳房に接近する下側位置に設けたものであり、かつ導電材１はブラジャー１０の内層に隠され、導電材１の回線は内蔵式設計を用いるため、ブラジャー１０は平常では普通のブラジャーとして使用してもよく、洗浄にも便利である。
【０００７】
前記導電材１の他の一端の導電ボタン１１はブラジャー１０の選定個所に集中され、コントローラ３と組み合され、掛け付けを形成し（図３を参照）、導電ボタン１１の結合位置は必要によって任意に変えることができ、図のとおり本実施例ではブラジャー１０の中央個所に設置されているが、その他の位置（例えば側辺）でもよく、また前記導電ボタン１１の数もコントローラ３の機能の多少に伴って適当に増減変化することができる。
【０００８】
図４に示すように、それは接続導線３１の一端を用いて集中して導電ボタン１１に嵌め付け、他の一端をコントローラ３に接続して有線接続の組み合せを形成し、かつコントローラ３を装飾品のネックレースとして身に付けることができる。
前記コントローラ３は任意の造形に実施することができ、その主要は内部に中枢ＩＣを設け、ＩＣを用いてパルス波型を輸送し、インダクタンス及びキャパシタンスが充放電されて高圧が発生し、かつプログラムを用いてパルス幅（約１ＨＺ−１５０ＨＺ）を制御し、程度の違う強弱のマッサージ感覚を発生させ、前記コントローラ３には電流の増強または減弱の制御、時間の設定、電源の開閉及びマッサージモードの選択の制御に用いられる複数個のコントロールキーを備え、前記コントローラ３には更に制御モードを表す液晶ディスプレーを備える。
【０００９】
図５に示すように、前記ブラジャー１０の正極導電片２ａまたは負極導電片２ｂと胸カップの外層との間には、前記胸当てパッド４ａを挿入するためのポケット１０１を設け、正極導電片２ａ、負極導電片２ｂが押されて人体の胸とよりよく貼り付け接触を形成するが、この設計は胸のやや小さい使用者に適用される。
【００１０】
図６に示すのは、胸当てパッド４ａの表面には一層の正極導電片２ａまたは負極導電片２ｂを結合したものを表しており、正極導電片２ａまたは負極導電片２ｂと胸当てパッドとが分離した形態、または一つに結合してもよい。
図７に示すのは、正極導電片２ａまたは負極導電片２ｂに多数個の通気孔２１を備えた設計を表しており、かつその形状または大きさは限定しない。図８に示すのは、正極導電片２ａまたは負極導電片２ｂと胸当てパッド４ａとを一つに結合した形態を表しており、もちろん前記の実施方式の正極導電片２ａまたは負極導電片２ｂにも多数個の通気孔２１を備える設計にすることができる。
【００１１】
図９に示すように、正極導電片２ａまたは負極導電片２ｂと導電材１とはミシン縫い付け方式を用いてブラジャー１０の内面に結合され、胸のやや大きい人に適合される。図１０に示すように、ブラジャー１０の内面に胸当てパッド４を挿入して、高く見せる効果を達成するポケットを設け、胸当てパッド４は正極導電片２ａ、負極導電片２ｂを押して人体の胸と完全に貼り付け接触させることができ、それは胸のやや小さい使用者に適用される。
【００１２】
図１１に示すように、導電片２ｃまたは導電片２ｄは二つまたは二つ以上の正極性と負極性とに区分けされ、並びに複数個の導電材１と合わせて接続されて組み合わせられ、一枚の導電片２ｃまたは導電片２ｄを違う正極性と負極性とに区分けして胸のつぼ個所と対応させ、これによって胸を大きくする、リハビリテーション又は血液循環の増進等の多方面の健康効果を発揮する。図１２の実施例では、導電片２ｃまたは導電片２ｄは、位置を任意に変えることができることを示す。
前記図１１の実施例により、同じくそれは図１３に示す組み合せ形態に実施され、導電材１に複数個の単極性導電片２ｅ（正極性の導電片または負極性の導電片）を連接することができ、以上はすべて本考案の行い可能な実施例である。
【００１３】
本実施例で採用される導電材１には一般の導電材料、導電線材、または柔軟で快適特性のある導電布を使用すれば快適性は更によくなる。
また、本実施例のブラジャー１０の前記コントローラ３は直接ブラジャーに取り付けることができ、または接続導線３１を用いて有線の連接組み合せに形成され、または無線の連接組み合せにしてコントローラ３を自由に操作する目的を達成することができる。
【図面の簡単な説明】
【００１４】
【図１】本考案の一実施例における微小電流で刺激するマッサージブラジャーを示す正面図である。
【図２】本考案の別の実施例における微小電流で刺激するマッサージブラジャーを示す正面図である。
【図３】本考案の一実施例における微小電流で刺激するマッサージブラジャーにコントローラを直接結合して使用している状態を示す説明図である。
【図４】本考案の一実施例における微小電流で刺激するマッサージブラジャーにコントローラーを有線で結合して使用している状態を示す説明図である。
【図５】本考案の一実施例における微小電流で刺激するマッサージブラジャーを胸当てパッドと併用している状態を示す説明図である。
【図６】本考案の一実施例における微小電流で刺激するマッサージブラジャーを胸当てパッドと導電片とが一つに結合されている状態を示す説明図である。
【図７】本考案の一実施例における微小電流で刺激するマッサージブラジャーの導電片に多数の通気孔が設けられた状態を示す説明図である。
【図８】本考案の一実施例における微小電流で刺激するマッサージブラジャーの胸当てパッドと導電片とが一つに結合された状態を示す断面図である。
【図９】本考案の一実施例における微小電流で刺激するマッサージブラジャーの導電片と導電材とがブラジャーに縫い付けられた状態を示す説明図である。
【図１０】本考案の一実施例における微小電流で刺激するマッサージブラジャーの胸当てパッドがブラジャーに挿入された状態を示す分解説明図である。
【図１１】本考案の一実施例における微小電流で刺激するマッサージブラジャーの一枚の導電片に二つの正極性と負極性とが設けられた状態を示す説明図である。
【図１２】本考案の一実施例における微小電流で刺激するマッサージブラジャーの導電片の位置を変えた状態を示す説明図である。
【図１３】本考案の一実施例における微小電流で刺激するマッサージブラジャーの導電材に複数個の単極性導電片が連接された状態を示す説明図である。
【符号の説明】
【００１５】
１:導電材、１０：ブラジャー、２ａ：正極導電片、２ｂ：負極導電片、１１：導電ボタン、３：コントローラ、３１：連接導線、１０１：ポケット、４：胸当てパッド、４ａ：胸当てパッド、２１：通気孔、２ｃ：導電片、２ｄ：導電片、２ｅ：導電片
【図１】
0003131700.tif 000003
【図２】
0003131700.tif 000004
【図３】
0003131700.tif 000005
【図４】
0003131700.tif 000006
【図５】
0003131700.tif 000007
【図６】
0003131700.tif 000008
【図７】
0003131700.tif 000009
【図８】
0003131700.tif 000010
【図９】
0003131700.tif 000011
【図１０】
0003131700.tif 000012
【図１１】
0003131700.tif 000013
【図１２】
0003131700.tif 000014
【図１３】
0003131700.tif 000015